(57)【特許請求の範囲】
【請求項１】
上段と下段に設置されるレール部材と、該レール部材に着脱自在に取り付けられるストッパ部材と、上段に設置される該レール部材の長さ方向両端部に取り付けられるずれ防止部材と、を備え、
前記レール部材は、両端が横部材で連結される２本のレールからなり、該レールの上面には該ストッパ部材が取り付けられる係止孔が複数形成され、長さ方向の両側の側面には複数のカギ孔が設けられ、
前記ストッパ部材は、前記係止孔に挿入される各係止部を有する三角形状の一対の係止ロッドと、一対の係止ロッドを連結する複数の繋ぎロッドと、該係止ロッドの両端の両端に設けられ、該係止部の前記係止孔への挿入深度を規定する環状止め板と、から構成され、
前記ずれ防止部材は、前記カギ孔に挿入して係止されるナット付きの脚部と、ターンバックルの伸縮調整機構と、フック部と、からなり、該フック部を下段のドラム缶の縁に係合させ、脚部が上段のレール部材のカギ孔に嵌め込まれることを特徴とするドラム缶保管装置。
【請求項２】
前記カギ孔には、係止突起を有する連結金具が嵌め込まれることを特徴とする請求項１に記載のドラム缶保管装置。
【発明の詳細な説明】
【技術分野】
【０００１】
本発明は、ドラム缶保管装置に係り、より詳しくは、ドラム缶を２段に積層して保管できるドラム缶保管装置に関する。
【背景技術】
【０００２】
特許文献１には、ドラム缶が２段積み可能で、レール部材と、横棒部材と、ストッパ部材と、からなるドラム缶ラックが示されている。ストッパ部材は、下段のレール部材と上段のレール部材の前後左右合わせて８つを必要とする。また、ストッパの傾斜角度を個別に調節しなくてはならない。そのため、操作性に優れたドラム缶保管装置が望まれる。
【先行技術文献】
【特許文献】
【０００３】
【特許文献１】特開２００１−１３９１４５号公報
【発明の概要】
【発明が解決しようとする課題】
【０００４】
本発明の目的は、操作性に優れたドラム缶保管装置を提供することにある。
【課題を解決するための手段】
【０００５】
本発明によるドラム缶保管装置は、上段と下段に設置されるレール部材と、該レール部材に着脱自在に取り付けられるストッパ部材と、上段に設置される該レール部材の長さ方向両端部に取り付けられるずれ防止部材と、を備え、前記レール部材は、両端が横部材で連結される２本のレールからなり、該レールの上面には該ストッパ部材が取り付けられる係止孔が複数形成され、長さ方向の両側の側面には複数のカギ孔が設けられ、前記ストッパ部材は、前記係止孔に挿入される各係止部を有する三角形状の一対の係止ロッドと、一対の係止ロッドを連結する複数の繋ぎロッドと、該係止ロッドの両端の両端に設けられ、該係止部の前記係止孔への挿入深度を規定する環状止め板と、から構成され、前記ずれ防止部材は、前記カギ孔に挿入して係止されるナット付きの脚部と、ターンバックルの伸縮調整機構と、フック部と、からなり、該フック部を下段のドラム缶の縁に係合させ、脚部が上段のレール部材のカギ孔に嵌め込まれることを特徴とする。
【０００６】
前記カギ孔には、係止突起を有する連結金具が嵌め込まれることを特徴とする。
【発明の効果】
【０００７】
本発明のドラム缶保管装置によれば、（１）ストッパ部材は、係止孔にそれぞれ挿入される係止部が両端に形成された三角形状の一対の係止ロッドと、一対の係止ロッドを連結する複数の繋ぎロッドを備えるので、レール部材の長さ方向に直交する方向に１操作で設置できる。そのため、上下２段のレール部材では、４回の操作で済む。（２）ストッパ部材の係止ロッドは三角形状で、ドラム缶の設置角度に合わせたので、角度の調節を不要にできる。（３）ストッパ部材に、係止孔への挿入深度を規定する環状止め板を設けたので、ストッパ部材が沈みこまないようにできる。（４）レール部材は上段と下段で共通に使用できる。（５）ナット付きの脚部と、ターンバックルの伸縮調整機構と、フック部と、からなるずれ防止部材を設け、フック部を下段のドラム缶の縁に係合させ、脚部を上段のレール部材のカギ孔に係止させたので、簡単に取り付けてドラム缶を２段積みする際、上段のレール部材が跳ね上がったり、ずれたりしないようにできる。
【０００８】
レール部材の長さ方向の両端部側面に設けた複数のカギ孔に、係止突起を有する連結金具を嵌め込むようにしたので、工具なしで簡単にレール部材を延長することができる。
【図面の簡単な説明】
【０００９】
【図１】本発明によるドラム缶保管装置を構成するレール部材の平面図である。
【図２】図１のレール部材の正面図である。
【図３】図１のレール部材の右側面図である。
【図４】本発明によるドラム缶保管装置を構成するストッパ部材を示す図で、（Ａ）は平面図、（Ｂ）は正面図、（ｃ）は左側面図ある。
【図５】図４（ｂ）のストッパ部材の拡大正面図である。
【図６】本発明によるドラム缶保管装置を構成するずれ防止部材の正面図である。
【図７】連結金具の斜視図である。
【図８】本発明によるドラム缶保管装置の使用例で、ドラム缶を２段積みした場合の平面図である。
【図９】図８のドラム缶保持装置の正面図である。
【図１０】図９でずれ防止部材が取り付けられた箇所の断面図である。
【発明を実施するための形態】
【００１０】
以下、図面を参照して、本発明によるドラム缶保管装置を詳しく説明する。
【実施例】
【００１１】
図１は、本発明によるドラム缶保管装置１００を構成するレール部材１の平面図である。レール部材１は、両端が横部材１３で連結された２本レール１ａからなる。レール１ａの中央付近も横部材１３で連結される。両端の横部材１３の中央には、ロープ用フック１０が取り付けられる。レール１ａの上面には、７６個の長孔の係止孔４が４０ｍｍピッチで設けられる。レール１ａの長さはこれに限られるものではないが、約３ｍ４０ｃｍである。このドラム缶保管装置１００は、共通のレール部材１が使用され、下段のレール部材１と、上段のレール部材１の２つが用意される。
【００１２】
図２は、図１のレール部材１の正面図である。レール１ａの両側の側面には、カギ孔５がそれぞれ３個設けられる。カギ孔５は、円形と四角形の開口部を有する。
【００１３】
図３は、図１のレール部材１の右側面図である。レール１ａは、底部が開口した中空の角材である。横部材１３は溶接でレール１ａに連結される。横部材１３の中央にはロープ用フック１０が設けられる。
【００１４】
図４は、本発明によるドラム缶保管装置１００を構成するストッパ部材２を示す図で、（Ａ）は平面図、（Ｂ）は正面図、（ｃ）は左側面図ある。ストッパ部材２は、前後両端に三角形状の係止ロッド６が設けられる。係止ロッド６は、２本の繋ぎロッド７で連結される。
【００１５】
図５は、図４（ｂ）のストッパ部材２の拡大正面図である。図５に示すように、係止ロッド６は、先端が水平に折り曲げられた第１係止部２ａと、垂直な第２係止部２ｂを有する。第１係止部２ａと第２係止部２ｂには、レール１ａの係止孔４に所定の深さ以上に入り込まないように、挿入深度を規定する環状止め板８が溶接で取り付けられる。
【００１６】
図６は、ずれ防止部材３の正面図である。ずれ防止部材３は、カギ孔５に挿入して係止されるナット１４を有する脚部３ｃと、ターンバックルの伸縮調整機構３ｂと、フック部３ａと、からなる。ずれ防止部材３は、図９に示すように、フック部３ａを下段のドラム缶１１の縁に係合することにより上段のレール部材１を固定するものである。
【００１７】
図７は、連結金具１２の斜視図である。連結金具１２は、長さ方向の両側に係止突起１２ａが２つ設けられ、レール１のカギ孔５に嵌め込まれて、延長したレール部材１を連結する。嵌め込むだけなので工具等は必要ない。
【００１８】
図８は、本発明によるドラム缶保管装置の使用例で、ドラム缶を２段積みしたドラム缶保持装置１００の平面図である。ドラム缶保持装置１００は、長さ方向に５個、上下に２段で、計１０個のドラム缶１１を保管できる。ドラム缶１１の外側をロープ９で固定する。ロープ９の両端は、ロープ固定用フック１０（図１参照）にひっかけるあるいは結ぶことができる。
【００１９】
図９は、図８のドラム缶保管装置１００の正面図である。ドラム缶保管装置１００は、下段のレール部材１と上段のレール部材１を備える。上段のレール部材１のレール１ａの長さ方向の両側面には、複数のカギ孔５が設けられ、前後方向の両側の各１つのカギ孔５にずれ防止部材３が取り付けられる。
【００２０】
図１０は、ずれ防止部材３が取り付けられた箇所の側面を示す断面図である。ずれ防止部材３のフック部３ａを下段のドラム缶１１の縁に係合させる。脚部３ｃはレール１のカギ孔５に嵌め込む。ターンバックルの伸縮調整部３ｂを操作し、上段のレール部材１を下段のドラム缶１１に固定する。ずれ防止部材３は、前後方向の両端に合わせて４個が装着される。これによれば、上段のレール部材１にドラム缶１１を設置する場合、レール部材１が跳ね上がることやずれることがない。
【産業上の利用可能性】
【００２１】
本発明は、操作性に優れたてドラム缶保管装置として好適である。
【符号の説明】
【００２２】
１    レール部材
１ａ    レール
２    ストッパ部材
２ａ    第１係止部
２ｂ    第２係止部
３    ずれ防止部材
３ａ    フック部
３ｂ    伸縮調整部
３ｃ    脚部
４    係止孔
５    カギ孔
６    係止ロッド
７    繋ぎロッド
８    環状止め板
９    ロープ
１０  ロープ用フック
１１    ドラム缶
１２    連結金具
１２ａ    係止突起
１３    横部材
１４    ナット
１００    ドラム缶保管装置
【要約】
【課題】操作性に優れたドラム缶保管装置を提供する。
【解決手段】上段と下段に設置されるレール部材と、レール部材に着脱自在に取り付けられるストッパ部材と、上段に設置される該レール部材の長さ方向両端部に取り付けられるずれ防止部材と、を備え、レール部材は両端が横部材で連結される２本のレールからなり、レールの上面にはストッパ部材が取り付けられる係止孔が複数形成され、長さ方法の両側の側面には複数のカギ孔が設けられ、ストッパ部材は、三角形状の一対の係止ロッドと、係止ロッドを連結する複数の繋ぎロッドと、係止ロッドに設けられる止め輪と、で構成され、ずれ防止部材は、カギ孔に挿入して係止される脚部と、ターンバックルの伸縮調整機構と、フック部と、からなり、フック部を下段のドラム缶の縁に係合させ、脚部が上段のレール部材のカギ孔に嵌め込まれる。
【選択図】図９【図１】
0005488727.tif 000002
【図２】
0005488727.tif 000003
【図３】
0005488727.tif 000004
【図４】
0005488727.tif 000005
【図５】
0005488727.tif 000006
【図６】
0005488727.tif 000007
【図７】
0005488727.tif 000008
【図８】
0005488727.tif 000009
【図９】
0005488727.tif 000010
【図１０】
0005488727.tif 000011